(57)【要約】【課題】  同一構成の２系統の送信系を有するダイバーシチ方式の送信機において、簡単な構成により無線信号レベルの経年劣化を抑制する。【解決手段】  各系の無線信号の検波レベルを、カプラ０８，１８により導出し、制御部２００において、これら検波レベルを比較して、小なる方の送信系の信号レベルを、大なる方の送信系の信号レベルに一致するように、可変減衰器０６または１６の減衰量を制御する。この制御を、例えば、１年毎に繰返すことにより、経年劣化の大なる方の無線信号レベルが、小なる方のレベルに等しくなるので、無線信号の経年劣化が抑止可能となる。【選択図】      図１
2006295262.tif 000002
【特許請求の範囲】
【請求項１】
同一構成の第一及び第二の送信系を有するダイバーシチ方式の送信機であって、前記第一及び第二の送信系の無線信号の各検波レベルを検出して小なる方の送信系の信号レベルを、大なる方の送信系の信号レベルに一致制御する制御手段を含むことを特徴とする送信機。
【請求項２】
前記制御手段は、前記第一及び第二の送信系の無線信号の各検波レベルを出力する手段と、これら検波レベル同士を比較する手段と、この比較結果に基づいて前記第一及び第二の送信系における可変減衰器の減衰量の制御をなす手段とを有することを特徴とする請求項１記載の送信機。
【請求項３】
前記制御手段は、所定周期で前記一致制御の動作をなすよう構成されていることを特徴とする請求項１または２記載の送信機。
【請求項４】
移動通信システムにおける無線基地局であることを特徴とする請求項１〜３いずれか記載の送信機。
【請求項５】
同一構成の第一及び第二の送信系を有するダイバーシチ方式の送信機のレベル制御方法であって、前記第一及び第二の送信系の無線信号の各検波レベルを検出するステップと、これら検波レベルを比較して小なる方の送信系の信号レベルを、大なる方の送信系の信号レベルに一致制御する制御ステップを含むことを特徴とするレベル制御方法。
【請求項６】
前記制御ステップは、前記検波レベル同士を比較するステップと、この比較結果に基づいて前記第一及び第二の送信系における可変減衰器の減衰量の制御をなすステップとを有することを特徴とする請求項５記載のレベル制御方法。
【請求項７】
所定周期で、前記一致制御の動作をなすことを特徴とする請求項５または６記載のレベル制御方法。
【請求項８】
同一構成の第一及び第二の送信系を有するダイバーシチ方式の送信機のレベル制御方法をコンピュータに実行させるためのプログラムであって、前記第一及び第二の送信系の無線信号の各検波レベルを比較して小なる方の送信系の信号レベルを、大なる方の送信系の信号レベルに一致制御する処理を含むことを特徴とするプログラム。
【発明の詳細な説明】
【技術分野】
【０００１】
本発明は送信機及びそのレベル制御方法並びにプログラムに関し、特に送信ダイバーシチ方式の送信機における無線信号レベルの制御方式に関するものである。
【背景技術】
【０００２】
無線通信装置の送信機においては、全く同一の構成の２つの送信機（ＴＸ０系及びＴＸ１系）を設けて送信ダイバーシチ送信を行うものがある（特許文献１参照）。このような送信ダイバーシチ方式の送信機の構成を図４に示す。図４を参照すると、ＴＸ０系の入力信号（０系ＩＮ）は、信号カプラ０９を介して第１のミキサ０１へ入力されて周波数変換され、ＢＰＦ０２及びアンプ０３を介して第２のミキサ０４へ入力されてＲＦ信号に周波数変換される。そして、ＢＰＦ０５、可変減衰器０６、アンプ０７及び信号カプラ０８を介して０系の送信出力となる。
【０００３】
一方、ＴＸ１系の入力信号（１系ＩＮ）は、信号カプラ１９を介して第１のミキサ１１へ入力されて周波数変換され、ＢＰＦ１２及びアンプ１３を介して第２のミキサ１４へ入力されＲＦ信号に周波数変換される。そして、ＢＰＦ１５、可変減衰器１６、アンプ１７及び信号カプラ１８を介して１系の送信出力となる。
【０００４】
このような送信ダイバーシチ方式の送信機では、各系の送信機の送信出力レベルの経年劣化を抑制するために、制御部０１０及び１１０を設け、制御部０１０では、入出力信号カプラ０８，０９による入出力検波レベルを用いて、可変減衰器０６の減衰量を制御するようになっている。また、制御部１１０では、入出力信号カプラ１８，１９による入出力検波レベルを用いて、可変減衰器１６の減衰量を制御するようになっている。
【０００５】
図５は図４に示した制御部０１０，１１０の例を示す図である。図５において、制御部０１０と１１０とは同一構成であるので、制御部０１０についてのみ説明する。入力及び出力検波信号はＡ／Ｄ変換器５１及び５２へそれぞれ入力されてデジタル信号とされ、ＣＰＵ５３へ入力される。ＣＰＵ５３においては、入力及び出力検波信号のデジタル信号を比較して、両者が一定になるような可変減衰器０６の制御用デジタル信号を生成する。このデジタル信号はＤ／Ａ変換器５４によりアナログ信号とされて、可変減衰器０６の制御信号となるのである。
【０００６】
こうすることにより、ミキサやフィルタの挿入損失の経年劣化や、またアンプの増幅率の経年劣化などに起因する送信機の経年的なＲＦ信号レベルの低下を補償することが可能となっている。
【０００７】
【特許文献１】特開２００１−３５８６２３号公報
【発明の開示】
【発明が解決しようとする課題】
【０００８】
上述した図４に示したダイバーシチ送信機の構成では、ＴＸ０系及びＴＸ１系において、それぞれに、入出力信号カプラ及び制御部を設けているために、信号カプラが４個、制御部が２個必要となり、構成が複雑となって、装置の小型化及び低価格化を阻止する要因となるという問題がある。
【０００９】
本発明の目的は、構成を簡単化して、小型化及び低価格化を可能とした送信ダイバーシチ方式の送信機を提供することである。
【課題を解決するための手段】
【００１０】
本発明による送信機は、同一構成の第一及び第二の送信系を有するダイバーシチ方式の送信機であって、前記第一及び第二の送信系の無線信号の各検波レベルを検出して小なる方の送信系の信号レベルを、大なる方の送信系の信号レベルに一致制御する制御手段を含むことを特徴とする。
【００１１】
本発明による送信機のレベル制御方法は、同一構成の第一及び第二の送信系を有するダイバーシチ方式の送信機のレベル制御方法であって、前記第一及び第二の送信系の無線信号の各検波レベルを検出するステップと、これら検波レベルを比較して小なる方の送信系の信号レベルを、大なる方の送信系の信号レベルに一致制御する制御ステップを含むことを特徴とする。
【００１２】
本発明によるプログラムは、同一構成の第一及び第二の送信系を有するダイバーシチ方式の送信機のレベル制御方法をコンピュータに実行させるためのプログラムであって、前記第一及び第二の送信系の無線信号の各検波レベルを比較して小なる方の送信系の信号レベルを、大なる方の送信系の信号レベルに一致制御する処理を含むことを特徴とする。
【００１３】
本発明の作用を述べる。各系の無線信号の検波レベルを、夫々カプラにより導出し、制御部２００において、これら検波レベルを比較して、小なる方の送信系の信号レベルを、大なる方の送信系の信号レベルに一致するように、可変減衰器の減衰量を制御する。この制御を、例えば、１年毎に繰返すことにより、経年劣化の大なる方の無線信号レベルが小なる方のレベルに等しくなるので、無線信号の経年劣化が抑止可能となる。
【発明の効果】
【００１４】
本発明によれば、極めて簡単な構成で送信ダイバーシチ方式のＴＸ０系とＴＸ１系との両系の無線信号レベルの低下を抑えることができるという効果がある。
【発明を実施するための最良の形態】
【００１５】
以下に、本発明の実施の形態について図面を参照しつつ詳細に説明する。図１は本発明の実施の形態のブロック図であり、図４と同等部分は同一符号により示している。本実施の形態を適用した送信ダイバーシチ方式の送信機は、同一の構成からなる２つの送信系により構成されており、各々の送信系をＴＸ０系及びＴＸ１系と呼ぶ。
【００１６】
これらＴＸ０系及びＴＸ１系は、ベースバンド信号において互いに直交したデータマッピングとされるが、最終的には、例えば、２ＧＨｚ帯域の無線信号（ＲＦ信号）とするまでの周波数変換や送信スプリアスの減衰のためのフィルタや、無線信号のレベルを制御するための可変減衰器や、信号増幅のためのアンプなど、全てが同一特性、同一構成となっている。つまり、ベースバンド信号において、ＴＸ０系とＴＸ１系とでは、データが直交関係にあるが、無線信号のレベルは同一となっている。
【００１７】
図１において、ＴＸ０系の入力信号は、第１のミキサ０１において周波数変換され、ＢＰＦ０２及びアンプ０３を介して第２のミキサ０４へ入力されてＲＦ信号に周波数変換される。そして、ＢＰＦ０５、可変減衰器０６、アンプ０７及び信号カプラ０８を介して０系の送信出力となる。
【００１８】
一方、ＴＸ１系の入力信号は第１のミキサ１１へ入力されて周波数変換され、ＢＰＦ１２及びアンプ１３を介して第２のミキサ１４へ入力されＲＦ信号に周波数変換される。そして、ＢＰＦ１５、可変減衰器１６、アンプ１７及び信号カプラ１８を介して１系の送信出力となる。
【００１９】
そして、両系に共通の制御部２００が設けられており、信号カプラ０８による０系出力信号の検波レベルと、信号カプラ１８による１系出力信号の検波レベルとが、この制御部２００へ入力されている。これ等０系及び１系の検波レベルに基づいて、可変減衰器０６及び１６の減衰制御信号が生成されるようになっている。
【００２０】
図２は制御部２００の例を示す図であり、０系及び１系の検波信号は、それぞれＡ／Ｄ変換器２０１及び２１１へ入力されてデジタル信号となってＣＰＵ２１０へ供給される。ＣＰＵ２１０においては、これ等２つのデジタル信号を比較して、大なる方の信号に、小さい方の信号が一致するように、減衰制御信号（デジタル信号）が生成される。これ等デジタル減衰制御信号はＤ／Ａ変換器２０２及び２１２へそれぞれ入力されてアナログ減衰制御信号とされて、可変減衰器０６及び１６の減衰量制御が行われるのである。
【００２１】
図３は本発明の実施の形態を適用した送信ダイバーシチ方式の送信機における無線信号レベルの経年劣化の例を示したものであり、（Ａ）はレベル補正を行わない場合のＴＸ０系とＴＸ１系の経年劣化の状態を示し、（Ｂ）はレベル補正を行った場合のものである。図３においては、横軸が経年時間を示し単位は年であり、縦軸が運用開始時の無線信号レベルを０ｄＢとしたときにどの程度レベル低下したかを示すものである。
【００２２】
図３（Ａ）に示す如く、レベル補正を行わない場合には、１０年後に、約２．５ｄＢのレベル低下が生じている。このようなダイバーシチ方式の送信機において、図１に示すようなレベル補正を行った場合について説明する。なお、本例では、一年周期でレベル補正を行った場合について、順に説明することにする。
【００２３】
一年後に、ＴＸ０系は約０．２５ｄＢのレベル低下を生じており、一方、ＴＸ１系は０．５ｄＢのレベル低下を生じている。そこで、０系の検波信号と１系の検波信号とが、Ｄ／Ａ変換器によりデジタル値に変換されてＣＰＵ２１０へ入力される。ＣＰＵ２１０において、これ等２つの信号レベルが比較され、レベルが小さいＴＸ１系の無線信号のレベルが、大きいＴＸ０系の無線信号のレベルに等しくなるように、ＴＸ１系の可変減衰器１６の減衰量の制御が行われる。従って、ＴＸ１系の無線信号レベルはＴＸ０系のそれと同じ値となる（０．２５ｄＢ低下まで改善）。
【００２４】
二年後には、ＴＸ０系のレベルは０．７５ｄＢ低下しているが、ＴＸ１系は一年目に補正されているために、０．４ｄＢの低下に留まっている。そのために、今度は、よりレベルが小さいＴＸ０系の無線信号のレベルが大きいＴＸ１系の無線信号のレベルに等しくなるように、ＴＸ０系の可変減衰器の減衰量の制御が行われる。従って、ＴＸ０系の無線信号レベルはＴＸ１系のそれと同じ値となる（０．４ｄＢ低下まで改善）。
【００２５】
同様にして、三年目以降も制御が行われ、最終的に、十年後には、ＴＸ０系及びＴＸ１系共に、１．２ｄＢのレベル低下に留まっていることが判る。この値は、レベル補正がない場合の２．５ｄＢの低下に比べて、１ｄＢもの改善があることが判る。このように、本発明においては、信号カプラを２個、制御部を１個用いるのみの極めて簡単な構成で無線信号レベルの経年劣化を制御できることになり、その効果は顕著である。
【００２６】
上記の実施の形態におけるＣＰＵ２１０の動作は、予めその手順をプログラムとしてＲＯＭなどの記録媒体に記録しておき、これをコンピュータ（ＣＰＵ）により読み取らせて実行させるように構成することができることは明らかである。また、上記構成のダイバーシチ方式の送信機の例としては、Ｗ−ＣＤＭＡ方式の移動通信システムにおける無線基地局とすることができるが、これに限らず、広く一般の送信機に適用できるものである。
【００２７】
また、レベル補正の間隔は一年周期に限定されることなく、種々の周期で行うことができることは勿論である。
【図面の簡単な説明】
【００２８】
【図１】本発明の実施の形態のブロック図である。
【図２】図１の制御部の例を示す図である。
【図３】（Ａ）は図１のブロックにおいて、レベル補正を行わない場合の無線信号レベルの経年劣化を示す図、（Ｂ）はレベル補正を行った場合の無線信号レベルの経年劣化を示す図である。
【図４】従来の送信ダイバーシチ方式の送信機のブロック図である。
【図５】図４の制御部０１０，１１０の例を示す図である。
【符号の説明】
【００２９】
０１，０４，１１，１４  ミキサ
０２，０５，１２，１５  ＢＰＦ
０３，０７，１３，１７  アンプ
０６，１６  可変減衰器
０８，１８  信号カプラ
２００  制御部
【図１】
2006295262.tif 000003
【図２】
2006295262.tif 000004
【図３】
2006295262.tif 000005
【図４】
2006295262.tif 000006
【図５】
2006295262.tif 000007